(57)【特許請求の範囲】
【請求項１】
凹版印刷用スクリーニング方法であって、
明度に基づいて色調範囲を複数のタイプの領域に分割するステップと、
異なるタイプの領域に対してスクリーンパターンの網点をそれぞれ生成するステップであって、１つのタイプの領域のための各スクリーンパターンの網点は同一の形状を有し、そのスクリーンパターンの網点は、他のタイプの領域のスクリーンパターンの網点と形状が異なる、ステップと、
を含むことを特徴とする方法。
【請求項２】
明度に基づいて色調範囲を複数のタイプの領域に分割するステップにおいては、
明度範囲が［０,Ｐｅｒ１］の領域をライトトーン領域として、明度範囲が［Ｐｅｒ１,Ｐｅｒ２］の領域をライトトーン−ハーフトーン領域として、明度範囲が［Ｐｅｒ２,Ｐｅｒ３］の領域をハーフトーン−ディープトーン領域として、明度範囲が［Ｐｅｒ２,１］の領域をディープトーン領域とすることを特徴とする請求項１に記載の方法。
【請求項３】
Ｐｅｒ１を０．２５とし、Ｐｅｒ２を０．５とし、Ｐｅｒ３を０．８とすることを特徴とする請求項２に記載の方法。
【請求項４】
前記ライトトーン領域に第一スクリーンパターンの網点を生成し、具体的には、
前記ライトトーン領域における各網点に対して単位空間を構築し、前記網点の中心を原点とし、ｘ、ｙを前記網点の座標とし、
0005843883.tif 000064
とし、
ここで、
0005843883.tif 000065
とされることを特徴とする請求項２に記載の方法。
【請求項５】
前記ライトトーン−ハーフトーン領域に第二スクリーンパターンの網点を生成し、具体的には、
前記ライトトーン−ハーフトーン領域における各網点に対して単位空間を構築し、前記網点の中心を原点とし、ｘ、ｙを前記網点の座標とし、
0005843883.tif 000066
とし、
前記ライトトーン−ハーフトーン領域の各網点（ｘ,ｙ）について、ｙを以下の式１〜３の関数値
0005843883.tif 000067
と比較することによって、ｎ個の式１〜３において（ｘ,ｙ）がどの二本の曲線により囲まれる小さな領域内にあるかを判断し、判断標準としては、ｙ値は、当該小さな領域におけるｔ値が比較的に大きい式１〜３の関数値より小さいとともに、ｔ値が比較的に小さい式１〜３の関数値より大きいものであり、
ここで、ｎは１より大きい整数であり、ｔは以下の方程式系により確定され、
0005843883.tif 000068
ただし、
0005843883.tif 000069
0005843883.tif 000070
ただし、
0005843883.tif 000071
0005843883.tif 000072
ただし、
0005843883.tif 000073
式１〜３において、
0005843883.tif 000074
であることを特徴とする請求項２に記載の方法。
【請求項６】
前記ハーフトーン−ディープトーン領域に第三スクリーンパターンの網点を生成し、具体的には、
前記ハーフトーン−ディープトーン領域における各網点に対して単位空間を構築し、前記網点の中心を原点とし、ｘ、ｙを前記網点の座標とし、
0005843883.tif 000075
とし、
前記ハーフトーン−ディープトーン領域の各網点（ｘ,ｙ）について、ｙを以下の式４〜６の関数値
0005843883.tif 000076
と比較することによって、ｎ個の式４〜６において、（ｘ,ｙ）がどの二本の曲線により囲まれる小さな領域にあるかを判断し、判断標準としては、ｙ値は、当該小さな領域におけるｔ値が比較的に大きい式４〜６の関数値より小さいとともに、ｔ値が比較的に小さい式４〜６の関数値より大きいものであり、
ここで、ｎは１より大きい整数であり、ｔは以下の方程式系により確定され、
0005843883.tif 000077
ただし、
0005843883.tif 000078
0005843883.tif 000079
ただし、
0005843883.tif 000080
0005843883.tif 000081
ただし、
0005843883.tif 000082
式４〜６において、
0005843883.tif 000083
であることを特徴とする請求項２に記載の方法。
【請求項７】
前記ディープトーン領域に第四スクリーンパターンの網点を生成することにおいて、
前記ディープトーン領域における各網点に対して単位空間を構築し、前記網点の中心を原点とし、ｘ、ｙを前記網点の座標とし、
0005843883.tif 000084
とし、
前記ディープトーン領域の各網点（ｘ,ｙ）について、ｙを以下の式７〜９の関数値
0005843883.tif 000085
と比較することによって、ｎ個の式７〜９において、（ｘ,ｙ）はどの二本の曲線に囲まれる小さな領域にあるかを判断し、判断標準としては、ｙ値は、当該小さな領域におけるｔ値が比較的に大きい式７〜９の関数値より小さいとともに、ｔ値が比較的に小さい式７〜９の関数値より大きいものであり、
ここで、ｎは１より大きい整数であり、ｔは以下の方程式系により確定され、
0005843883.tif 000086
ただし
0005843883.tif 000087
0005843883.tif 000088
ただし、
0005843883.tif 000089
0005843883.tif 000090
ただし、
0005843883.tif 000091
式７〜９において、
0005843883.tif 000092
であることを特徴とする請求項２に記載の方法。
【請求項８】
凹版印刷用スクリーニング装置であって、
明度に基づいて色調範囲を複数のタイプの領域に分割する分割モジュールと、
異なるタイプの領域に対してスクリーンパターンの網点をそれぞれ生成する生成モジュールであって、１つのタイプの領域のための各スクリーンパターンの網点は同一の形状を有し、そのスクリーンパターンの網点は、他のタイプの領域のスクリーンパターンの網点と形状が異なる、生成モジュールと、
を備えることを特徴とする装置。
【請求項９】
前記分割モジュールは、明度範囲が［０,Ｐｅｒ１］の領域をライトトーン領域として、明度範囲が［Ｐｅｒ１,Ｐｅｒ２］の領域をライトトーン−ハーフトーン領域として、明度範囲が［Ｐｅｒ２,Ｐｅｒ３］の領域をハーフトーン−ディープトーン領域として、明度範囲が［Ｐｅｒ２,１］の領域をディープトーン領域とすることを特徴とする請求項８に記載の装置。
【請求項１０】
前記生成モジュールは、前記ライトトーン領域に第一スクリーンパターンの網点を生成するライトトーンモジュールと、前記ライトトーン−ハーフトーン領域に第二スクリーンパターンの網点を生成するライトトーン−ハーフトーンモジュールと、前記ハーフトーン−ディープトーン領域に第三スクリーンパターンの網点を生成するハーフトーン−ディープトーンモジュールと、前記ディープトーン領域に第四スクリーンパターンの網点を生成するディープトーンモジュールとを備えており、
前記ライトトーンモジュールは、ライトトーン領域における網点に対して単位空間を構築し、網点の中心を原点とし、ｘ、ｙを網点の座標とし、
0005843883.tif 000093
とし、ここで、
0005843883.tif 000094
前記ライトトーン−ハーフトーンモジュールは、前記ライトトーン−ハーフトーン領域における各網点に対して単位空間を構築し、前記網点の中心を原点とし、ｘ、ｙを前記網点の座標とし、
0005843883.tif 000095
とし、ここで、ｎは１より大きい整数であり、ｔは以下の方程式系により確定され、
0005843883.tif 000096
ただし、
0005843883.tif 000097
0005843883.tif 000098
ただし、
0005843883.tif 000099
0005843883.tif 000100
ただし、
0005843883.tif 000101
式１〜３において、
0005843883.tif 000102
前記ハーフトーン−ディープトーンモジュールは、前記ハーフトーン−ディープトーン領域における各網点に対して単位空間を構築し、前記網点の中心を原点とし、ｘ、ｙを前記網点の座標とし、
0005843883.tif 000103
とし、ただし、ｎは１より大きい整数であり、ｔは以下の方程式系により確定され、
0005843883.tif 000104
ただし、
0005843883.tif 000105
0005843883.tif 000106
ただし、
0005843883.tif 000107
0005843883.tif 000108
ただし、
0005843883.tif 000109
式４〜６において、
0005843883.tif 000110
前記ディープトーンモジュールは、前記ディープトーン領域における各網点に対して単位空間を構築し、前記網点の中心を原点とし、ｘ、ｙを前記網点の座標とし、
0005843883.tif 000111
とし、ここで、ｎは１より大きい整数であり、ｔは以下の方程式系により確定され、
0005843883.tif 000112
ただし、
0005843883.tif 000113
0005843883.tif 000114
ただし、
0005843883.tif 000115
0005843883.tif 000116
ただし、
0005843883.tif 000117
式７〜９において、
0005843883.tif 000118
であることを特徴とする請求項９に記載の装置。
【発明の詳細な説明】
【技術分野】
【０００１】
本発明は、印刷分野に関し、具体的には、凹版印刷用スクリーニング方法と装置に関する。
【背景技術】
【０００２】
凹版印刷は、版材平面に対して、その網点が完全に凹んでいる。印刷する時に、インキが凹んでいる網点に充填され、圧印によって媒介に転写される。
上記した凹版印刷の特徴で、網点同士の間に壁のような間隔が存在するようになる。この間隔は「スクリーン壁」と呼ばれる。凹版印刷における製版法はエッチングでも電子彫刻でも、いずれも版材に一つ一つの凹んでいる網点を形成するものである。そのため、「スクリーン壁」の変化規則は、特に、ディープトーン領域には極めて重要である。
【０００３】
本発明の発明者らは、研究を経て、凹版印刷の製版において、ディープトーン領域の「スクリーン壁」の形状と変化規則が直接に暗部のグラデーション再現に影響を与えることが分かった。凹版印刷のプロセスにおいて、グラデーションが徐々に暗くなるにつれて、即ち、網点が徐々に大きくなるにつれて、「スクリーン壁」が徐々に薄くなる。また、「スクリーン壁」が薄ければ薄いほど、「スクリーン壁」が割れる、または「スクリーン壁」の薄さが不均一の現象を起こしやすい。このような現象はディープトーンにモアレが現れやすい原因となる。つまり、従来の凹版印刷における網点の形状(即ち、スクリーンパターン)は方形であり、その「スクリーン壁」も長方形であり、ＡＭスクリーニングのサイズがグラデーションに従って変化するプロセスにおいて、「スクリーン壁」も変化し、その変化するプロセスにおけるスクリーンパターンは長方形に類似するが、長方形と言えないため、長方形の厚さにばらつきがあり、モアレなどが現れる原因となる。
【発明の概要】
【０００４】
本発明は、従来の技術においてモアレなどの不良が現れる問題を解決するために、凹版印刷用スクリーニング方法と装置を提供することを目的とする。
本発明は、凹版印刷用スクリーニング方法であって、この凹版印刷用スクリーニング方法は、明度に基づいて色調範囲を複数のタイプの領域に分割するステップと、異なるタイプの領域に対して異なるスクリーンパターンの網点をそれぞれ生成するステップと、を含むことを特徴とする。
【０００５】
また、本発明は、凹版印刷用スクリーニング装置であって、この凹版印刷用スクリーニング装置は、明度に基づいて色調範囲を複数のタイプの領域に分割する分割モジュールと、異なるタイプの領域に対して異なるスクリーンパターンの網点をそれぞれ生成する生成モジュールと、を備えることを特徴とする。
【０００６】
本発明の上記の凹版印刷用スクリーニング方法と装置によれば、複数のタイプの異なるスクリーンパターンを使用するため、従来の技術においてモアレなどの不良が現れる問題を解決でき、印刷品質を向上することができる。
【０００７】
以下で説明される図面は、本発明を更に理解するためのものであり、本願の一部分となる。本発明の実施例及びその説明は本発明を解釈するが、本発明に対する不当な制限を構成しない。
【図面の簡単な説明】
【０００８】
【図１】本発明の実施例による凹版印刷用スクリーニング方法のフローチャートを示す図である。
【図２】本発明の好ましい実施例による網点の形状を示す図である。
【図３】本発明の好ましい実施例による網点の空間対称性を示す図である。
【図４】本発明の好ましい実施例によるハーフトーン−ディープトーン領域の網点の形状を示す図である。
【図５】本発明の好ましい実施例によるディープトーン領域の特徴スクリーンパターンを示す図である。
【図６】本発明の好ましい実施例による凹版印刷網点の拡散の効果を示す図である。
【図７】本発明の実施例による凹版印刷用スクリーニング装置の模式図である。
【発明を実施するための形態】
【０００９】
以下、図面を参照しながら実施例で本発明を詳細に説明する。
図１は本発明の実施例による凹版印刷用スクリーニング方法のフローチャートであり、この方法は、色調範囲を明度に基づいて複数のタイプの領域に分割するステップＳ１０と、異なるタイプの領域に対して異なるスクリーンパターンの網点をそれぞれ生成するステップＳ２０と、を含んでいる。
【００１０】
従来の技術における凹版印刷の網点は方形であるため、モアレなどの不良が生じやすい。これに対して、本発明において、複数のスクリーンパターンを使用することによって、従来の技術により発生するモアレなどの不良の問題を解決でき、印刷品質を向上することができる。
【００１１】
好ましくは、ステップＳ１０においては、明度範囲が［０,Ｐｅｒ１］の領域をライトトーン領域として、明度範囲が［Ｐｅｒ１,Ｐｅｒ２］の領域をライトトーン−ハーフトーン領域として、明度範囲が［Ｐｅｒ２,Ｐｅｒ３］の領域をハーフトーン−ディープトーン領域として、明度範囲が［Ｐｅｒ２,１］ の領域をディープトーン領域とする。この好ましい実施例は明度に基づいて、四種類の領域に分割することによって、四種類の異なるスクリーンパターンを使用でき、計算量は少なくなり、印刷品質を顕著に向上できる。
【００１２】
好ましくは、Ｐｅｒ１を０．２５とし、Ｐｅｒ２を０．５とし、Ｐｅｒ３を０．８とする。本発明の発明者らは、適宜に異なる明暗領域に分割するために、大量の実験を行うことによって、［０,０．２５］、［０．２５,０．５］、［０.５,０．８］、［０．８,１］という四種類の領域に分割された場合に効果が最もよいことが分かる。もちろん、本発明はこれらの具体値に限定されなく、実際に明度範囲を確定する際に、これらの値とほぼ同じ値であっても、比較的によい効果が得られる。これも本発明の主旨に含まれる。
【００１３】
図２は本発明の好ましい実施例による網点の形状を示す図である。図２にスクリーンパターンは規則的に変化する。しかも、それぞれのグラデーションにおける網点のスクリーンパターンは、網点空間におけるＸ軸とＹ軸に対して対称し、二本の直線
0005843883.tif 000002
【００１４】
に対しても対称する。そのため、図３に示すように、本発明の好ましい実施例において、スクリーンパターンが
0005843883.tif 000003
【００１５】
の領域にある場合だけを説明する。他の領域にある場合は、対称変換によって得られる。本発明の好ましい実施例は、図３における陰影部分を特徴スクリーンパターンとすることによって、全てのスクリーンパターンを生成する。以下、コンピュータにより図２におけるそれぞれのスクリーンパターンを生成する方法を詳細に説明する。
【００１６】
好ましくは、ステップＳ２０においては、ライトトーン領域に第一スクリーンパターン（即ち、図２における（１）〜（３））の網点を生成し、具体的には、
ライトトーン領域における各網点に対して単位空間を構築し、網点の中心を原点とし、ｘ、ｙを網点の座標とし、
0005843883.tif 000004
【００１７】
とし、
ここで、
0005843883.tif 000005
【００１８】
例えば、
0005843883.tif 000006
【００１９】
上記の関数式から、この第一スクリーンパターンが方形であることが分かる。つまり、ライトトーン領域において、簡単な方形が逓増する形状変化が使用される。
この好ましい実施例は図２におけるライトトーン領域のスクリーンパターンの数学記述を提供し、コンピュータにより実現しやすく、凹版印刷のスクリーニングを実現する。
【００２０】
図４は本発明の好ましい実施例によるハーフトーン−ディープトーン領域の網点の形状を示す図である。図４を見ると、ハーフトーン−ディープトーン領域において、スクリーンパターンのアウトラインは余弦曲線より構成される四つの辺を有し、１/４円周は余弦曲線と繋がって隅部を形成することが分かる。図４に示すように、この四本の余弦曲線と繋がるように、当該特徴スクリーンパターンにおいて、四本の１/４円周が使用され、余弦曲線の両端の頂点がちょうど網点空間の境界（これによって、８０％網点が特徴スクリーンパターンと呼ばれる）になるまで、全体のスクリーンパターンが徐々に大きくなる。例えば明度範囲は［０.５，０.８］であれば、この段階で網点関数が
0005843883.tif 000007
【００２１】
を満足する。
好ましくは、ステップＳ２０においては、ハーフトーン−ディープトーン領域に第三スクリーンパターン（即ち、図２における（６）〜（７））の網点を生成し、具体的には、
ハーフトーン−ディープトーン領域における各網点に対して単位空間を構築し、網点の中心を原点とし、ｘ、ｙを網点の座標とし、
0005843883.tif 000008
【００２２】
とし、
前記ハーフトーン−ディープトーン領域の各網点（ｘ,ｙ）について、ｙを以下の式４〜６の関数値
0005843883.tif 000009
【００２３】
と比較することによって、ｎ個の式４〜６において、（ｘ,ｙ）はどの二本の曲線に囲まれる小さな領域にあるかを判断し、判断標準としては、ｙ値は、当該小さな領域におけるｔ値が比較的に大きい式４〜６の関数値より小さいとともに、ｔ値が比較的に小さい式４〜６の関数値より大きいものである。
【００２４】
ここで、ｎは１より大きい整数であり、例えば２５６である。当該領域［Ｐｅｒ２,Ｐｅｒ３］をｎ個の小さな領域ｉに分割し、ここで、
0005843883.tif 000010
【００２５】
［０,１］の範囲において、曲線群Ｄ（ｔ）におけるグラデーションｔを１/ｎ、２/ｎ、３/ｎ・・・、（ｎ−１）/ｎ、１であるｎ個の点によって平均分割し、上記したｔのそれそれの値をＤ（ｔ）に代入し相応するｔグラデーションにおける曲線方程式Ｄ（ｔ）を取得する。ｔは以下の方程式系により確定され、
0005843883.tif 000011
【００２６】
ただし、
0005843883.tif 000012
【００２７】
0005843883.tif 000013
【００２８】
ただし、
0005843883.tif 000014
【００２９】
0005843883.tif 000015
【００３０】
ただし、
0005843883.tif 000016
【００３１】
式４〜６において、
0005843883.tif 000017
【００３２】
曲線群方程式Ｄ（ｔ）が式４〜６により構成され、ここで、{Ｄ(ｔ)│ｔ∈［０，１］}、ｔはスクリーンパターンが変化するプロセスにおけるグラデーションである。この明度範囲において、それぞれのｔグラデーションが一つの曲線方程式で示されることを意味する。図４における特徴スクリーンパターンがＤ（ｔ）により生成され、その中、特徴スクリーンパターンにおける余弦曲線が式４により生成され、特徴スクリーンパターンにおける二本の１/８円周が式５と式６により生成される。この二本の１/８円周が左右対称であり、式６のｘ座標と式５のｘ座標が網点の中心座標に対して対称するので、式６は式５を網点の中心座標に対して対称変換することによって得られるものであり、即ち、ｘ’＝−ｘ、ここで、ｘ’は対称変換された後のｘ座標である。
【００３３】
この好ましい実施例は図２におけるハーフトーン−ディープトーン領域のスクリーンパターンの数学記述を提供し、コンピュータにより実現しやすく、凹版印刷スクリーニングを実現する。
【００３４】
好ましくは、ステップＳ２０においては、ライトトーン−ハーフトーン領域に第二スクリーンパターン(即ち、図２における（４）〜（５）)の網点を生成し、具体的には、
ライトトーン−ハーフトーン領域における各網点に対して単位空間を構築し、網点の中心を原点とし、ｘ、ｙを網点の座標とし、
0005843883.tif 000018
【００３５】
とし、
前記ディープトーン領域の各網点（ｘ,ｙ）について、ｙを以下の式７〜９の関数値
0005843883.tif 000019
【００３６】
と比較することによって、ｎ個の式７〜９において、（ｘ,ｙ）はどの二本の曲線に囲まれる小さな領域にあるかを判断し、判断標準としては、ｙ値は、当該小さな領域におけるｔ値が比較的に大きい式７〜９の関数値より小さいとともに、ｔ値が比較的に小さい式７〜９の関数値より大きいものである。
【００３７】
ここで、ｎは１より大きい整数であり、ｔは以下の方程式系により確定され、
0005843883.tif 000020
【００３８】
ただし、
0005843883.tif 000021
【００３９】
0005843883.tif 000022
【００４０】
ただし
0005843883.tif 000023
【００４１】
0005843883.tif 000024
【００４２】
ただし、
0005843883.tif 000025
【００４３】
式１〜３において、
0005843883.tif 000026
【００４４】
曲線群方程式Ｄ（ｔ）が式１〜３に構成され、ここで、{Ｄ(ｔ)│ｔ∈［０，１］}、ｔはスクリーンパターンが変化するプロセスにおけるグラデーションである。この明度範囲において、それぞれのｔグラデーションが一つの曲線方程式で示されることを意味する。ライトトーン−ハーフトーンの特徴スクリーンパターンがＤ（ｔ）により生成され、その中、特徴スクリーンパターンにおける余弦曲線が式１により生成され、特徴スクリーンパターンにおける二本の１/８円周が式２と式３により生成される。この二本の１/８円周が左右対称であり、式3のｘ座標と式2のｘ座標が網点の中心座標に対して対称するので、式３は式２を網点の中心座標に対して対称変換することによって得られるものであり、即ち、ｘ’＝−ｘ、ここで、ｘ’は対称変換された後のｘ座標である。
【００４５】
この領域の明度範囲を［０．２５,０．５］とし、当該領域の特徴スクリーンパターンの標識を２５％とすると、当該領域におけるそれぞれの点(ｘ, ｙ)の変化範囲は
0005843883.tif 000027
【００４６】
になる。ライトトーン−ハーフトーン領域のスクリーンパターンを生成するプロセスとハーフトーン−ディープトーン領域のスクリーンパターンを生成するプロセスが大体同じであるが、ただ後者のサイズが縮小され、縮小の伸縮率は
0005843883.tif 000028
【００４７】
であり、これによって、網点の変化規則と網点の関数が確定され、この段階における網点の関数も取得され、網点の関数値はライトトーン−ハーフトーン領域の関数値の１/２になる。
【００４８】
この好ましい実施例は図２におけるライトトーン−ハーフトーン領域のスクリーンパターンの数学記述を提供し、コンピュータにより実現しやすく、凹版印刷スクリーニングを実現できる。
【００４９】
図５は本発明の好ましい実施例に係るディープトーン領域の特徴スクリーンパターンを示す図である。この領域の明度範囲を［０．８,１］とし、当該領域の網点の変化規則は、余弦曲線を変化する領域において、特徴スクリーンパターンである８０％余弦曲線が点（０,１）に平滑に収縮し、二本の１/８円周もそれぞれ点（−１,１）と（１,１）に平滑に収縮する。
【００５０】
好ましくは、ステップＳ２０においては、ディープトーン領域に第四スクリーンパターン(即ち、図２における（８）〜（１０）)の網点を生成し、具体的には、
ディープトーン領域における各網点に対して単位空間を構築し、網点の中心を原点とし、ｘ、ｙを網点の座標とし、
0005843883.tif 000029
【００５１】
とし、
前記ディープトーン領域の各網点（ｘ,ｙ）について、ｙを以下の式７〜９の関数値
0005843883.tif 000030
【００５２】
と比較することによって、ｎ個の式７〜９において、（ｘ,ｙ）はどの二本の曲線に囲まれる小さな領域にあるかを判断し、判断標準としては、ｙ値は、当該小さな領域におけるｔ値が比較的に大きい式７〜９の関数値より小さいとともに、ｔ値が比較的に小さい式７〜９の関数値より大きいものである。
【００５３】
ここで、ｎは１より大きい整数であり、例えば２００であり、ｔは以下の方程式系により確定され、
0005843883.tif 000031
【００５４】
ただし、
0005843883.tif 000032
【００５５】
0005843883.tif 000033
【００５６】
ただし、
0005843883.tif 000034
【００５７】
0005843883.tif 000035
【００５８】
ただし、
0005843883.tif 000036
【００５９】
式７〜９において、
0005843883.tif 000037
【００６０】
曲線群方程式Ｄ（ｔ）が式７〜９により構成され、ここで、{Ｄ(ｔ)│ｔ∈［０，１］}、ｔはスクリーンパターンが変化するプロセスにおけるグラデーションである。この明度範囲において、それぞれのｔグラデーションが一つの曲線方程式で示されることを意味する。図５における特徴スクリーンパターンがＤ（ｔ）により生成され、その中、特徴スクリーンパターンにおける余弦曲線が式７により生成され、特徴スクリーンパターンにおける二本の１/８円周が式８と式９により生成される。この二本の１/８円周が左右対称であり、式９のｘ座標と式８のｘ座標が網点の中心座標に対して対称するので、式９は式８を網点の中心座標に対して対称変換することによって得られるものであり、即ち、ｘ’＝−ｘ、ここで、ｘ’は対称変換された後のｘ座標である。
【００６１】
この好ましい実施例は図２におけるディープトーン領域のスクリーンパターンの数学記述を提供し、コンピュータにより実現しやすく、凹版印刷スクリーニングを実現できる。
図６は本発明の好ましい実施例に係る凹版印刷網点の拡散の効果を示す図である。本発明の好ましい実施例はスクリーンパターンを一層改善し、余弦曲線の制御メカニズムを使用し、網点の境界形状を最適化することによって、その結果、スクリーン壁の印刷適性が改善され、凹版印刷製版の方形の網点によりスクリーン壁が割れやすい、または暗部にモアレなどが現れるなど、従来の技術に存在する諸問題が解決され、凹版印刷グラデーションを再現する範囲を拡大し、凹版印刷の品質を極めて大きく向上することができる。
【００６２】
図７は本発明に係る実施例の凹版印刷用スクリーニング装置の模式図であり、この装置は、明度に基づいて色調範囲を複数のタイプの領域に分割する分割モジュール１０と、異なるタイプの領域に対して異なるスクリーンパターンの網点をそれぞれ生成する生成モジュール２０と、を備える。
【００６３】
本発明は印刷の品質を向上することができる。
好ましくは、分割モジュールによって、明度範囲が［０,Ｐｅｒ１］の領域をライトトーン領域として、明度範囲が［Ｐｅｒ１,Ｐｅｒ２］の領域をライトトーン−ハーフトーン領域として、明度範囲が［Ｐｅｒ２,Ｐｅｒ３］の領域をハーフトーン−ディープトーン領域として、明度範囲が［Ｐｅｒ２,１］ の領域をディープトーン領域とする。この好ましい実施例は明度に基づいて四種類の領域に分割することによって、四種類の異なるスクリーンパターンを使用でき、計算量は少なくなり、印刷品質を著しく向上することできる。
【００６４】
好ましくは、生成モジュールは、ライトトーン領域に第一スクリーンパターンの網点を生成するライトトーンモジュールと、ライトトーン−ハーフトーン領域に第二スクリーンパターンの網点を生成するライトトーン−ハーフトーンモジュールと、ハーフトーン−ディープトーン領域に第三スクリーンパターンの網点を生成するハーフトーン−ディープトーンモジュールと、前記ディープトーン領域に第四スクリーンパターンの網点を生成するディープトーンモジュールとを備える。
【００６５】
ライトトーンモジュールは、ライトトーン領域における網点に対して単位空間を構築し、網点の中心を原点とし、ｘ、ｙを網点の座標とし、
0005843883.tif 000038
【００６６】
とし、ここで、
0005843883.tif 000039
【００６７】
ライトトーン−ハーフトーンモジュールは、ライトトーン−ハーフトーン領域における各網点に対して単位空間を構築し、網点の中心を原点とし、ｘ、ｙを網点の座標とし、
0005843883.tif 000040
【００６８】
とし、ここで、ｎは１より大きい整数であり、ｔは以下の方程式系により確定され、
0005843883.tif 000041
【００６９】
ただし、
0005843883.tif 000042
【００７０】
0005843883.tif 000043
【００７１】
ただし、
0005843883.tif 000044
【００７２】
0005843883.tif 000045
【００７３】
ただし、
0005843883.tif 000046
【００７４】
式１〜３において、
0005843883.tif 000047
【００７５】
ハーフトーン−ディープトーンモジュールはハーフトーン−ディープトーン領域における各網点に対して単位空間を構築し、網点の中心を原点とし、ｘ、ｙを網点の座標とし、
0005843883.tif 000048
【００７６】
とし、ここで、ｎは１より大きい整数であり、ｔは以下の方程式系により確定され、
0005843883.tif 000049
【００７７】
ただし、
0005843883.tif 000050
【００７８】
0005843883.tif 000051
【００７９】
ただし、
0005843883.tif 000052
【００８０】
0005843883.tif 000053
【００８１】
ただし、
0005843883.tif 000054
【００８２】
式４〜６において、
0005843883.tif 000055
【００８３】
ディープトーンモジュールはディープトーン領域における各網点に対して単位空間を構築し、網点の中心を原点とし、ｘ、ｙを網点の座標とし、
0005843883.tif 000056
【００８４】
とし、ここで、ｎは１より大きい整数であり、ｔは以下の方程式系により確定され、
0005843883.tif 000057
【００８５】
ただし、
0005843883.tif 000058
【００８６】
0005843883.tif 000059
【００８７】
ただし、
0005843883.tif 000060
【００８８】
0005843883.tif 000061
【００８９】
ただし、
0005843883.tif 000062
【００９０】
式７〜９において、
0005843883.tif 000063
【００９１】
上記した説明で分かるように、本発明の上記した実施例において、従来の方形の凹版印刷のスクリーンパターンを基に、凹版印刷の製版プロセスにおいて、網点に対する特殊的な要求に基づいて、スクリーンパターンを一層改善し、余弦曲線の制御メカニズムを使用し、網点の境界形状を最適化し、従来の直線から平滑な曲線に変更することによって、その結果、スクリーン壁の印刷適性が改善され、凹版印刷製版の方形の網点によりスクリーン壁が割れやすい、または暗部にモアレが現れるなど、従来の技術に存在する諸問題が解決され、凹版印刷のベタ濃度（ｓｏｌｉｄ  ｉｎｋ  ｄｅｎｓｉｔｙ）を効果的に向上することを確保し、これによって、凹版印刷製版のプロセスにおけるグラデーションが再現する範囲を効果的に拡大し、その結果、凹版印刷の品質を極めて大きく向上することができる。
【００９２】
言うまでもなく、当業者であれば分かるように、上記した本発明の各モジュールや各ステップは、汎用のコンピューター装置によって実現でき、単一のコンピューター装置に集積されても良く、複数のコンピューター装置からなるネットワークに配置されても良く、任意に、各モジュールや各ステップは、コンピューター装置にて実行可能なプログラムコードで実現でき、それらを記憶装置に記憶して計算装置に実行させても良く、あるいは、それぞれ各集積回路モジュールとして作成しても良く、あるいは、それらの中の複数のモジュール又はステップを単一の集積回路モジュールとして作成して実現しても良い。このように、本発明は、いかなる特定のハードウェアとソフトウェアとの組合せに限定されない。
【００９３】
以上は、本発明の好ましい実施例に過ぎず、本発明を限定するものではない。当業者にとって、本発明に対して、様々な変更や変化が可能である。本発明の主旨と原則を離脱しない範囲で、いかなる変更、均等代替、改良なども本発明の保護範囲内に含まれる。
【図１】
0005843883.tif 000119
【図７】
0005843883.tif 000120
【図２】
0005843883.tif 000121
【図３】
0005843883.tif 000122
【図４】
0005843883.tif 000123
【図５】
0005843883.tif 000124
【図６】
0005843883.tif 000125